(57)【要約】【課題】消毒液を正しく噴霧することができる足踏み式の消毒液噴霧装置を提供する。【解決手段】消毒液噴霧装置は、受け台６上に載置された消毒液容器１のキャップ９に取り付けられた支持部材２と、消毒液容器１の昇降ヘッド８を包囲するように支持部材２に昇降可能に支持された門形の押圧体３と、押圧体３に係合して支持部材２から導出するワイヤ４と、ワイヤ４の導出端部に連結された足踏みペダル５とを備えている。使用者が両手を噴射ノズル８ａの前に差し出した状態で足踏みペダル５を踏み込むと、ワイヤ４を介して押圧体３に下向きの力が加わり、押圧体３が昇降ヘッド８を押し下げて噴射ノズル８ａから消毒液を噴射させることができる。【選択図】図１
0003230191.tif 000002
【実用新案登録請求の範囲】
【請求項１】
消毒液を内蔵するボトル本体と、上方へ弾性付勢された噴射ノズル付きの昇降ヘッドと、前記昇降ヘッドを前記ボトル本体の上部開口部に取り付けるキャップと、を有する消毒液容器に装着して使用される消毒液噴霧装置であって、
前記昇降ヘッドを突出させた状態で前記消毒液容器に取り付けられる支持部材と、
前記昇降ヘッドを包囲するように前記支持部材に昇降可能に支持された門形の押圧体と、
前記押圧体に係合すると共に前記支持部材の外部に導出されたワイヤと、
前記押圧体を昇降動作するために前記ワイヤの導出端部に連結された足踏みペダルと、
を備えていることを特徴とする消毒液噴霧装置。
【請求項２】
請求項１に記載の消毒液噴霧装置において、
前記支持部材が前記キャップに対して着脱可能であると共に、前記支持部材を前記キャップに固定する固定手段を備えていることを特徴とする消毒液噴霧装置。
【請求項３】
請求項１または２に記載の消毒液噴霧装置において、
前記押圧体が中空パイプからなり、前記ワイヤが前記中空パイプを挿通して前記支持部材の外部に導出されていることを特徴とする消毒液噴霧装置。
【請求項４】
請求項１〜３のいずれか１項に記載の消毒液噴霧装置において、
前記支持部材に照明部が設けられており、前記足踏みペダルの踏み込み操作に連動して前記照明部が点灯動作されることを特徴とする消毒液噴霧装置。
【請求項５】
請求項４に記載の消毒液噴霧装置において、
前記照明部の点滅を切り替えるスイッチが前記ワイヤの移動によって動作されることを特徴とする消毒液噴霧装置。
【請求項６】
請求項１〜５のいずれか１項に記載の消毒液噴霧装置において、
前記足踏みペダルの踏み込み力を緩和するダンパー手段をさらに備えていることを特徴とする消毒液噴霧装置。
【請求項７】
消毒液を内蔵するボトル本体と、噴射用の操作レバーを有する操作ヘッドと、前記操作ヘッドを前記ボトル本体の上部開口部に取り付けるキャップと、を有する消毒液容器に装着して使用される消毒液噴霧装置であって、
前記消毒液容器の前記キャップに取り付けられる支持部材と、
前記操作レバーに係合する係合部と、
前記係合部に接続されると共に前記支持部材にガイドされつつ外部に導出するワイヤと、
前記係合部を引き込み動作するために前記ワイヤの導出端部に連結された足踏みペダルと、
を備えていることを特徴とする消毒液噴霧装置。
【考案の詳細な説明】
【技術分野】
【０００１】
本考案は、ポンプ式の消毒液容器に装着して使用される足踏み式の消毒液噴霧装置に関する。
【背景技術】
【０００２】
新型コロナウイルス等のウイルスによる感染症を予防するために、病院や飲食店やオフィス等にポンプ式の消毒液容器を設置することが多くなっている。ポンプ式の消毒液容器は、消毒液を内蔵するボトル本体と、上方へ弾性付勢された噴射ノズル付きの昇降ヘッドと、昇降ヘッドをボトル本体の上部開口部に取り付けるキャップとを有し、昇降ヘッドを手で押圧することによって消毒液を噴霧するように構成されている。このような構成の消毒液容器においては、不特定多数の人が昇降ヘッドに手を触れる可能性があり、昇降ヘッドにウイルスが付着してしまう虞があるため、昇降ヘッドに手を触れることなく消毒液を噴霧できるようにした足踏み式の消毒液噴霧装置が種々提案されている。
【０００３】
例えば、特許文献１には、自立性のある支柱の上部に着脱可能に取り付けられたトレイと、トレイに載置された消毒液容器の昇降ヘッドを押圧操作するための押圧体と、支柱の下部に配設された足踏みペダルと、足踏みペダルに加えられる踏み込み動作を押圧体の押し込み動作に変換する動力変換機構とを備えた消毒液噴霧装置が開示されている。ここで、押圧体は、昇降ヘッドの頂部を押圧する天壁と、昇降ヘッドの前後左右方向への移動を規制する４つの規制壁とを有しており、そのうちの１つの規制壁に噴射ノズルを挿通させるための開口が設けられている。また、動力変換機構は、押圧体の天壁に設けられたブラケットに連結された回動アームと、足踏みペダルの踏み込み動作に伴って回動する下部リンク要素と、この下部リンク要素の動きを回動アームに伝達する中間リンク要素とで構成されている。
【０００４】
このように構成された消毒液噴霧装置では、使用者が足踏みペダルを踏み込むと、その踏み込み動作が下部リンク要素と中間リンク要素を介して回動アームに伝達され、それに伴って回動アームが回動して押圧体を押し下げるため、昇降ヘッドが押圧されて消毒液を噴霧することができる。したがって、使用者は、消毒液容器の昇降ヘッドに直接手を触れることなく、衛生的に手を消毒することができる。
【０００５】
【特許文献１】特開２０１１−１１０２５２号公報
【考案の概要】
【考案が解決しようとする課題】
【０００６】
特許文献１に記載された消毒液噴霧装置では、トレイ上に載置した消毒液容器の昇降ヘッドに箱型の押圧体を被せた状態で足踏みペダルを踏み込み操作すると、その踏み込み動作が動力変換機構である回動アームの回転運動を介して押圧体に伝達されるため、押圧体の４つの規制壁が昇降ヘッドに対して隙間なく緊密に取り付けられていれば、押圧体によって昇降ヘッドをスムーズに押し下げることができる。しかしながら、消毒液容器に備えられる昇降ヘッドの大きさや形状は必ずしも全て同じであるとは限らず、押圧体はある程度余裕を持った大きさに形成しておく必要があるため、小さ目の昇降ヘッドを備えた消毒液容器を使用する場合に、昇降ヘッドが押圧体の中心から偏倚した位置に設置されてしまうことがある。その場合、押圧体からの押圧力が昇降ヘッドに対して斜め方向に作用するため、昇降ヘッドを真っ直ぐに押し下げることができなくなり、消毒液の正常な噴霧動作が阻害されてしまうことになる。
【０００７】
本考案は、このような従来技術の実情に鑑みてなされたもので、その目的は、消毒液を正しく噴霧することができる足踏み式の消毒液噴霧装置を提供することにある。
【課題を解決するための手段】
【０００８】
上記の目的を達成するために、本考案の消毒液噴霧装置は、消毒液を内蔵するボトル本体と、上方へ弾性付勢された噴射ノズル付きの昇降ヘッドと、前記昇降ヘッドを前記ボトル本体の上部開口部に取り付けるキャップと、を有する消毒液容器に装着して使用される消毒液噴霧装置であって、前記昇降ヘッドを突出させた状態で前記消毒液容器に取り付けられる支持部材と、前記昇降ヘッドを包囲するように前記支持部材に昇降可能に支持された門形の押圧体と、前記押圧体に係合すると共に前記支持部材の外部に導出されたワイヤと、前記押圧体を昇降動作するために前記ワイヤの導出端部に連結された足踏みペダルと、を備えていることを特徴としている。
【０００９】
このように構成された消毒液噴霧装置では、置き台やテーブル等に載置した消毒液容器に支持部材を取り付けると、支持部材に昇降可能に支持された門形の押圧体が消毒液容器の昇降ヘッドを包囲するように配置され、この状態で支持部材から導出するワイヤに連結された足踏みペダルを踏み込むと、押圧体がワイヤに引っ張られて消毒液容器の昇降ヘッドを押し下げるため、昇降ヘッドに直接手を触れることなく消毒液を噴霧することができる。その際、昇降ヘッドはワイヤに引っ張られた門形（逆凹状）の押圧体によって押し下げられるため、昇降ヘッドの大きさや形状が相違する種々の消毒液容器を使用しても、消毒液を正しく噴霧することができる。
【００１０】
上記構成の消毒液噴霧装置において、支持部材は消毒液容器のボトル本体に取り付けても良いが、支持部材が消毒液容器のキャップに対して着脱可能であると共に、支持部材をキャップに固定する固定手段を備えていると、支持部材を消毒液容器に対して安定的に取り付けることができて好ましい。
【００１１】
また、上記構成の消毒液噴霧装置において、中実構造の押圧体の両端部にワイヤを固着するようにしても良いが、押圧体が中空パイプからなり、この中空パイプをワイヤが挿通して支持部材の外部に導出されていると、押圧体にワイヤを簡単かつ確実に連結することができて好ましい。
【００１２】
また、上記構成の消毒液噴霧装置において、支持部材にＬＥＤ等からなる照明部が設けられており、足踏みペダルの踏み込み操作に連動して照明部が点灯動作されるようになっていると、消毒液が噴霧されたことを視覚的に認識することができて好ましい。
【００１３】
この場合において、照明部の点滅を切り替えるスイッチがワイヤの移動によって動作されるようになっていると、スイッチを支持部材や足踏みペダル等に内蔵することにより、照明部の点滅用回路を容易に実現することができる。
【００１４】
また、上記構成の消毒液噴霧装置において、足踏みペダルの踏み込み力を緩和するダンパー手段をさらに備えていると、消毒液が勢い良く噴霧されてしまうことを防止できる。
【図面の簡単な説明】
【００１５】
【図１】本考案の第１実施形態に係る消毒液噴霧装置を示す斜視図である。
【図２】該消毒液噴霧装置の平面図である。
【図３】該消毒液噴霧装置の要部を示す部分断面図である。
【図４】該消毒液噴霧装置に備えられる足踏みペダルの説明図である。
【図５】該消毒液噴霧装置に備えられるＬＥＤの点滅回路を示す説明図である。
【図６】本考案の第２実施形態に係る消毒液噴霧装置を示す斜視図である。
【図７】本考案の第３実施形態に係る消毒液噴霧装置を示す斜視図である。
【考案を実施するための形態】
【００１６】
以下、考案の実施の形態について図面を参照しながら説明すると、図１は本考案の第１実施形態に係る消毒液噴霧装置を示す斜視図、図２は該消毒液噴霧装置の平面図、図３は消毒液噴霧装置の要部を示す部分断面図、図４は該消毒液噴霧装置に備えられる足踏みペダルの説明図である。
【００１７】
図１〜図３に示すように、第１実施形態に係る消毒液噴霧装置は、消毒液容器１に装着された支持部材２と、支持部材２に昇降可能に支持された門形の押圧体３と、押圧体３に係合して支持部材２から導出するワイヤ４と、ワイヤ４の導出端部に連結された足踏みペダル５とを備えている。
【００１８】
消毒液容器１は、病院や飲食店やオフィス等の所定箇所（例えば出入口）に設置された、スタンド付きの置き台やテーブル等の平坦な受け台６上に載置されている。この消毒液容器１は、アルコール等の消毒液が収納されたボトル本体７と、噴射ノズル８ａを有する昇降ヘッド８と、昇降ヘッド８をボトル本体７の上部開口部に取り付けるキャップ９とを備えており、昇降ヘッド８はキャップ９に内蔵されたスプリング（図示せず）のばね力によって上方へ弾性付勢されている。
【００１９】
支持部材２は、キャップ９を包囲するようにボトル本体７上に載置されており、この支持部材２から昇降ヘッド８が上方へ突出している。図２に示すように、支持部材２には、キャップ９を挟持可能な締結部材１０が組み込まれており、ねじ部材１１を用いて締結部材１０の対向間距離を可変調整することにより、サイズや形状を異にする種々のキャップ９に対して支持部材２を取り付けることができるようになっている。
【００２０】
また、支持部材２の外周面にはＬＥＤ等からなる照明部１２が設けられており、後述するように、照明部１２は足踏みペダル５の踏み込み操作に連動して点灯するようになっている。なお、支持部材２は、昇降ヘッド８を突出させた状態で消毒液容器１に取り付けることができれば、種々の形状を採用することが可能であり、また、締結部材１０とねじ部材１１以外の固定手段によって、支持部材２をキャップ９に固定するようにしても良い。
【００２１】
押圧体３は、中空パイプを門形にフォーミングした部材からなり、上下方向に延びる一対の摺動部３ａと、両摺動部３ａの上端部を繋いで水平方向に延びる押圧部３ｂとを有している。図３に示すように、押圧体３の両摺動部３ａは、支持部材２に設けられたガイド孔２ａに昇降可能に挿入されており、下端部に取着されたストッパ３ｃによって支持部材２からの脱落が防止されている。
【００２２】
支持部材２から突出する両摺動部３ａの任意位置に係止リング１３が取着されており、係止リング１３と支持部材２との間にスプリング１４が介設されている。このスプリング１４のばね力により、押圧体３は常時上方へ弾性付勢されているため、消毒液噴霧装置の非使用状態において、押圧体３の押圧部３ｂは昇降ヘッド８の上方の離間位置に保持されている。ただし、このようなスプリング１４を省略しても良く、その場合、押圧体３には自重による下向きの力が常時作用するため、消毒液噴霧装置の非使用状態において、押圧体３の押圧部３ｂは昇降ヘッド８の天面に当接した状態に維持される。
【００２３】
ワイヤ４は、ステンレスワイヤ等の導電性を有する材料からなり、押圧体３に挿通されて両摺動部３ａの下端部から支持部材２の外部に導出している。消毒液容器１のボトル本体７には中継ブラケット１５が締結ベルト１６を用いて取り付けられており、両摺動部３ａから導出された２本のワイヤ４は、中継ブラケット１５で一纏めに集約された後、絶縁性の筒状ケーブル４Ａに被覆された状態で足踏みペダル５に連結されている。その際、支持部材２や中継ブラケット１５の所定箇所にプーリー（図示せず）を設け、これらプーリーに沿ってワイヤ４を導出させるように構成すると、ワイヤ４をスムーズに方向変換することができて好ましい。
【００２４】
図４に示すように、足踏みペダル５は、ペダル受け台１７に組み込まれた扁平状の部材であり、その一端部が支軸１８を介してペダル受け台１７に軸着されている。中継ブラケット１５から導出されたワイヤ４と筒状ケーブル４Ａのうち、筒状ケーブル４Ａの端部はペダル受け台１７の上面に固定され、ワイヤ４の端部はペダル受け台１７の内部で足踏みペダル５の他端部に固定されている。
【００２５】
また、足踏みペダル５の他端部とペダル受け台１７の底面との間にダンパー手段（例えばオイルダンパー）１９が介設されており、このダンパー手段１９により、足踏みペダル５を勢い良く踏み込んだ時の衝撃力が吸収されるようになっている。なお、ダンパー手段１９の設置場所はペダル受け台１７の内部に限定されず、例えば、中継ブラケット１５の内部に設置してワイヤ４の急激な動きを緩和したり、支持部材２に設置して昇降ヘッド８や押圧体３の急激な押し込み動作を緩和したりするようにしても良い。
【００２６】
図５は、支持部材２に設けられた照明部１２の点滅回路の一例を示す説明図である。前述したように、照明部１２は足踏みペダル５の踏み込み操作に連動して点灯するようになっており、その点滅回路には、照明部１２の電源となる電池２０と、照明部１２をＯＮ／ＯＦＦに切り替えるスイッチ２１とが設けられている。電池２０は、ペダル受け台１７や中継ブラケット１５の内部に設置することが可能であるが、中継ブラケット１５とは別に専用のバッテリーをボトル本体７に取り付けるようにしても良い。
【００２７】
スイッチ２１は、足踏みペダル５に連結されたワイヤ４の移動によって動作されるようになっている。図５に示すように、ワイヤ４として、ステンレスワイヤ４ａを絶縁チューブ４ｂで被覆し、この絶縁チューブ４ｂに銅線４ｃを巻回して外皮チューブ４ｄで覆った芯線タイプのものを使用した場合、ＬＥＤ等からなる照明部１２の両極をステンレスワイヤ４ａと銅線４ｃに接続し、ワイヤ４の動きをスイッチ２１で検知して照明部１２のＯＮ／ＯＦＦを行うようにすれば良い。このようにワイヤ４の移動によってスイッチ２１を動作させる構成の場合、ワイヤ４が通過する支持部材２と中継ブラケット１５およびペダル受け台１７のいずれにもスイッチ２１を設置することができるため、設計上の自由度が向上する。
【００２８】
なお、スイッチ２１のＯＮ／ＯＦＦを足踏みペダル５が直接行うようにすることも可能であり、その場合、ペダル受け台１７の内部にマイクロスイッチからなるスイッチ２１を配設したり、支軸１８の近傍にロータリスイッチからなるスイッチ２１を配設したりし、これらスイッチ２１を足踏みペダル５の踏み込み操作によってＯＮ／ＯＦＦ動作させれば良い。
【００２９】
照明部１２は、支持部材２の外周面における任意箇所、例えば前面や側面に配設されており、照明部１２が点灯することよって、消毒液が噴霧されたことを使用者に視覚的に報知するようになっている。照明部１２は、ＬＥＤ等からなるチップ部品からの直接光であっても良いが、アクリル板や反射板を用いた面発光とすれば、レインボーカラーやグラデーション発光による点灯を行うことができる。
【００３０】
次に、上記のごとく構成された消毒液噴霧装置の使用形態について説明する。
【００３１】
第１実施形態に係る消毒液噴霧装置は、ボトル本体７のサイズや昇降ヘッド８の形状等を異にする種々の消毒液容器１に対して適用可能であり、図１に示すように、受け台６上に載置した消毒液容器１に支持部材２を装着した状態で使用される。その際、支持部材２はねじ部材１１の締め付けによってキャップ９に強固に取り付けられ、押圧体３は昇降ヘッド８の真上に配置される。また、足踏みペダル５は受け台６の下方の床面等に設置され、押圧体３から導出するワイヤ４が足踏みペダル５に連結されている。
【００３２】
消毒液噴霧装置の使用に際し、使用者が両手を噴射ノズル８ａの前に差し出した状態で足踏みペダル５を踏み込むと、ワイヤ４を介して押圧体３に下向きの力が加わるため、押圧体３によって昇降ヘッド８が押し下げられる。昇降ヘッド８は下降しながら噴射ノズル８ａから消毒液を噴射するため、使用者の手指を消毒することができる。その際、足踏みペダル５を強い力で勢い良く踏み込んだとしても、その衝撃力がダンパー手段１９によって吸収されるため、消毒液が大量に噴射されてしまうことを抑制できる。
【００３３】
また、足踏みペダル５を踏み込むと、足踏みペダル５に連結されたワイヤ４の移動に伴ってスイッチ２１がＯＮ動作するため、支持部材２に設けられたＬＥＤ等からなる照明部１２が点灯する。したがって、使用者は、消毒液の噴霧による手指の消毒と同時に、照明部１２の点灯による視覚的な面白さも体験することができ、特に、アクリル板や反射板を用いた面発光タイプの照明部１２とすれば、レインボーカラーやグラデーション発光によるインパクトのある点灯を行うことができる。
【００３４】
以上説明したように、第１実施形態に係る消毒液噴霧装置では、置き台やテーブル等の受け台６上に載置した消毒液容器１に支持部材２を装着することにより、支持部材２に昇降可能に支持された門形の押圧体３が消毒液容器１の昇降ヘッド８を包囲するように配置され、この状態で支持部材２から導出するワイヤ４に連結された足踏みペダル５を踏み込むと、押圧体３がワイヤ４に引っ張られて消毒液容器１の昇降ヘッド８を押し下げるため、昇降ヘッド８に直接手を触れることなく消毒液を噴霧することができる。その際、昇降ヘッド８はワイヤ４に結合された門形（逆凹状）の押圧体３によって押し下げられるため、昇降ヘッド８の大きさや形状が相違する種々の消毒液容器１を使用しても、消毒液を正しく噴霧することができる。
【００３５】
また、第１実施形態に係る消毒液噴霧装置では、支持部材２が消毒液容器１のキャップ９に対して着脱可能になっていると共に、固定手段（締結部材１０とねじ部材１１）を用いて支持部材２がキャップ９に強固に固定されるようになっているため、支持部材２を消毒液容器１に対して安定的に取り付けることができる。ただし、支持部材２を消毒液容器１の天面や周面等のキャップ９以外の部位に取り付けるようにしても良い。
【００３６】
また、第１実施形態に係る消毒液噴霧装置では、押圧体３として門形にフォーミングした中空パイプを使用し、この中空パイプにワイヤ４を挿通して支持部材２の外部に導出するようにしたので、押圧体３にワイヤ４を簡単かつ確実に連結することができる。ただし、押圧体３として門形にフォーミングした中実構造のシャフトを使用し、このシャフトの両端部にワイヤ４を固着するようにしても良い。
【００３７】
また、第１実施形態に係る消毒液噴霧装置では、支持部材２にＬＥＤ等からなる照明部１２が設けられており、足踏みペダル５の踏み込み操作に連動して照明部１２が点灯動作されるようになっているため、使用者は、消毒液が噴霧されたことを視覚的にも認識することができ、特に、面発光タイプの照明部１２を採用すると、レインボーカラーやグラデーション発光によるインパクトのある点灯を行うことができる。その際、照明部１２の点滅用スイッチ２１がワイヤ４の移動によって動作されるようになっているため、ワイヤ４が通過する支持部材２や中継ブラケット１５あるいはペダル受け台１７のいずれかにスイッチ２１を選択的に設置することができ、設計上の自由度が向上する。ただし、ペダル受け台１７の内部にマイクロスイッチやロータリスイッチ等からなるスイッチ２１を配設し、このようなスイッチ２１のＯＮ／ＯＦＦを足踏みペダル５が直接行うようにしても良い。
【００３８】
また、第１実施形態に係る消毒液噴霧装置では、足踏みペダル５の踏み込み力を緩和するダンパー手段１９を備えており、足踏みペダル５を強く踏み込んだときの衝撃力がダンパー手段１９で吸収されるため、消毒液が勢い良く噴霧されてしまうことを防止できる。
【００３９】
なお、第１実施形態に係る消毒液噴霧装置において、ワイヤ４の途中に図示せぬコイルばねを介設し、足踏みペダル５を踏み込んだときに、該コイルばねの伸長動作を伴ってワイヤ４が押圧体３を押し下げるようにしても良い。このように構成すると、足踏みペダル５の踏み込み動作を解除したときに、コイルばねが元の長さに戻ろうとする復帰力を利用して押圧体３が初期位置に上昇するため、昇降ヘッド８の復帰用スプリングの弾性力が弱くても、押圧体３を確実に初期位置に戻すことができる。
【００４０】
図６は、第２実施形態に係る消毒液噴霧装置を示す斜視図であり、図１〜図５に対応する部分には同一符号を付してある。
【００４１】
図６に示すように、第２実施形態に係る消毒液噴霧装置では、円筒状の支持部材２２が消毒液容器１のキャップ９に対して着脱可能となっており、支持部材２２はねじ部材１１を用いてキャップ９に固定されている。支持部材２２の外周面には、Ｌ字状に屈曲した一対のガイド部材２２ａが溶接等の手段を用いて固着されており、これらガイド部材２２ａには、門形に形成された押圧体３の摺動部３ａが昇降可能に挿入されている。第１実施形態と同様に、押圧体３にはワイヤ４が挿通されており、ガイド部材２２ａから導出されたワイヤ４は、中継ブラケット１５で一纏めに集約された後、図示省略した足踏みペダルに接続されている。
【００４２】
このように構成された第２実施形態に係る消毒液噴霧装置においても、前述した第１実施形態に係る消毒液噴霧装置と同様の作用効果を奏する。また、支持部材２２がＬ字状に屈曲した一対のガイド部材２２ａを有し、これらガイド部材２２ａが消毒液容器１のキャップ９よりも上方に突出して押圧体３の摺動部３ａを支持しているため、押圧体３の昇降動作が安定するという付加的な作用効果を奏する。
【００４３】
図７は、第３実施形態に係る消毒液噴霧装置を示す斜視図であり、図１〜図５に対応する部分には同一符号を付してある。
【００４４】
図７に示すように、第３実施形態に係る消毒液噴霧装置では、第１および第２実施形態と基本構成を異にする消毒液容器３０を使用対象としている。この消毒液容器３０は、アルコール等の消毒液が収納されたボトル本体３１と、噴射部３２ａを有する操作ヘッド３２と、操作ヘッド３２に軸支されて下方へ突出する操作レバー３３と、操作ヘッド３２をボトル本体３１の上部開口部に取り付けるキャップ３４を備えており、操作レバー３３を引き込み操作すると、操作ヘッド３２に内蔵のポンプが動作されて噴射部３２ａから消毒液を噴霧するようになっている。
【００４５】
消毒液容器３０は、置き台やテーブル等の図示せぬ受け台上に載置されており、キャップ３４に円筒状の支持部材３５が着脱可能に取り付けられている。支持部材３５の外周面には、一対のガイド部材３５ａが溶接等の手段を用いて固着されており、これらガイド部材３５ａにワイヤ３６が挿通されている。各ガイド部材３５ａの一端側から突出するワイヤ３６の先端部に袋状の係合部３７が固着されており、この係合部３７は操作レバー３３の先端部に嵌め込まれている。また、各ガイド部材３５ａの他端側から導出されたワイヤ３６は、第１実施形態と同様に、例えば中継ブラケット１５で一纏めに集約された後、図示省略した足踏みペダルに接続されている。
【００４６】
このように構成された第３実施形態に係る消毒液噴霧装置では、使用者が両手を噴射部３２ａの前に差し出した状態で不図示の足踏みペダルを踏み込むと、ワイヤ３６を介して係合部３７に水平方向の引っ張り力が加わるため、係合部３７に係合する操作レバー３３が引き込み操作される。その結果、操作レバー３３に直接手を触れることなく、噴射部３２ａから消毒液を噴霧することができる。
【００４７】
なお、本考案は前述した各実施形態に限定されるものではなく、様々な変形態様が含まれる。例えば、前述した各実施形態は、本考案を分りやすく説明するために説明したものであり、本考案は、必ずしも説明した全ての構成を備えるものに限定されるものではない。
【符号の説明】
【００４８】
１，３０  消毒液容器
２，２２，３５  支持部材
２ａ  ガイド孔
２２ａ，３５ａ  ガイド部材
３  押圧体
３ａ  摺動部
３ｂ  押圧部
３ｃ  ストッパ
４，３６  ワイヤ
４Ａ  筒状ケーブル
４ａ  ステンレスワイヤ
４ｂ  絶縁チューブ
４ｃ  銅線
４ｄ  外皮チューブ
５  足踏みペダル
６  受け台
７，３１  ボトル本体
８  昇降ヘッド
８ａ  噴射ノズル
９，３４  キャップ
１０  締結部材（固定手段）
１１  ねじ部材（固定手段）
１２  照明部
１３  係止リング
１４  スプリング
１５  中継ブラケット
１６  締結ベルト
１７  ペダル受け台
１８  支軸
１９  ダンパー手段
２０  電池
２１  スイッチ
３２  操作ヘッド
３２ａ  噴射部
３３  操作レバー
３７  係合部
【図１】
0003230191.tif 000003
【図２】
0003230191.tif 000004
【図３】
0003230191.tif 000005
【図４】
0003230191.tif 000006
【図５】
0003230191.tif 000007
【図６】
0003230191.tif 000008
【図７】
0003230191.tif 000009